(57)【要約】【課題】ユーザの操作行動に応じて試し複写モードに自動移行する。【解決手段】原稿カバースイッチ１７の検知に応答して、原稿取換状態フラグＦｓ＝‘１’（Ｓ０）かつ前々回複写部数Ｎｂｂ＝１（Ｓ１）であるという条件を満たす場合には、複写部数設定値Ｎに、前回複写部数Ｎｂを１だけインクリメントした値を設定し（Ｓ２）、この条件を満たすか否かに拘わらず、Ｆｓをリセットし（Ｓ３）、スタートキーの押下に応答して、Ｆｓをセットするとともに、Ｎｂｂ＝Ｎｂ及びＮｂ＝Ｎとする（Ｓ１１）。【選択図】図２
2007150383.tif 000002
【特許請求の範囲】
【請求項１】
原稿台上の原稿取換動作を検知する原稿取換検知手段と、
複写スタート指令を入力するスイッチ手段と、
複写部数設定値と前回の複写部数と前々回の複写部数とを記憶する設定値記憶手段と、
該前々回の複写部数が１であり、前々回複写スタート指令が入力されてから前回複写スタート指令が入力されるまでの間に該原稿取換検知手段が原稿取換動作を検知しなかった場合には、該前回の複写部数に１を加算した値を該複写部数設定値とする制御手段と、
を有することを特徴とする、試し複写後の複写部数予測機能を備えた複写装置。
【請求項２】
原稿台上の原稿取換動作を検知する原稿取換検知手段と、
複写スタート指令を入力するスイッチ手段と、
複写部数設定値と前回の複写部数と前々回の複写部数とを記憶する設定値記憶手段と、
原稿取換状態を記憶する状態記憶手段と、
制御手段とを有し、該制御手段は、
該原稿取換状態が原稿取換無しの状態であり、かつ、該前々回複写部数が１であるという条件を満たす場合には、該前回の複写部数に１を加算した値を該複写部数設定値とし、
該条件を満たすか否かに拘わらず、該原稿取換状態を原稿取換有りの状態にし、
複写スタート指令に応答して、該原稿取換状態を原稿取換無しの状態にするとともに、該前回の複写部数及び該複写部数設定値をそれぞれ該前々回の複写部数及び該前回の複写部数とする、
ことを特徴とする、試し複写後の複写部数予測機能を備えた複写装置。
【請求項３】
該原稿取換検知手段は、原稿台カバーの開を検知するスイッチであることを特徴とする請求項１又は２に記載の複写装置。
【発明の詳細な説明】
【技術分野】
【０００１】
本発明は、試し複写後の複写部数予測機能を備えた複写装置に関する。
【背景技術】
【０００２】
複写装置における従来の試し複写では、複写部数を設定してスタートキーを押下すると、１部のみ複写され、ユーザがその結果に応じて複写の濃度や倍率等の設定を変更してスタートキーを押下すると、再度１部のみ複写され、次に設定変更なしでスタートキーを押下すると、設定部数より１だけ少ない部数の複写が行われる（例えば下記特許文献１）。
【０００３】
しかしながら、スタートキーを押下する前に複写モードを試し複写モードに切り換えなければ、試し複写モードの機能を利用することができない。
【０００４】
一方、複写装置の多機能化により、選択可能なモードの数が多くなっているので、ユーザはモードを切り換えずに通常の複写を行う場合が多い。
【０００５】
このため、試し複写モードの機能が便利であるにも関わらず、活用されていないという問題があった。
【特許文献１】特開２００４−０１５４７５号公報
【発明の開示】
【発明が解決しようとする課題】
【０００６】
本発明は、このような問題点に鑑み、試し複写が行われたことを自動判定してその後の複写部数を予測する機能を備えた複写装置を提供することにある。
【課題を解決するための手段】
【０００７】
本発明による試し複写後の複写部数予測機能を備えた複写装置の一態様では、
原稿台上の原稿取換動作を検知する原稿取換検知手段と、
複写スタート指令を入力するスイッチ手段と、
複写部数設定値と前回の複写部数と前々回の複写部数とを記憶する設定値記憶手段と、
該前々回の複写部数が１であり、前々回複写スタート指令が入力されてから前回複写スタート指令が入力されるまでの間に該原稿取換検知手段が原稿取換動作を検知しなかった場合には、該前回の複写部数に１を加算した値を該複写部数設定値とする制御手段と、
を有する。
【発明の効果】
【０００８】
上記態様の構成によれば、前々回の複写部数が１であり、前々回複写スタート指令が入力されてから前回複写スタート指令が入力されるまでの間に原稿取換検知手段が原稿取換動作を検知しなかった場合には、該前回の複写部数に１を加算した値を複写部数設定値と自動設定するので、試し複写モードを設定することなく、又は試し複写モードの設定をし忘れても、試し複写が行われたことが自動判定されて、その後の複写部数が自動設定されという効果を奏し、複写装置の操作性向上に寄与するところが大きい。
【０００９】
本発明の他の目的、構成及び効果は以下の説明から明らかになる。
【実施例１】
【００１０】
図１は、本発明の実施例１に係る複写装置１０の概略構成を示すブロック図である。
【００１１】
この複写装置１０では、制御部１１に操作部１２、スキャナ１３、画像メモリ１４、設定情報メモリ１５、画像処理部１６、原稿カバースイッチ１７及び画像形成部１８が結合されている。制御部１１及び画像処理部１６は、プロセッサに記憶装置が結合されたコンピュータで構成されており、この記憶装置にはＯＳ及びアプリケーションプログラムが格納されている。操作部１２は、手操作入力手段と表示装置とを備えており、例えばタッチパネルと操作キーとを備えている。原稿カバースイッチ１７は、紙面垂直方向下方に蝶着された原稿カバーＣの開閉を検知するものであり、ユーザの操作行動履歴が試し複写を完了したか否かを判定する際に用いられる。
【００１２】
操作部１２のスタートキー１２１を押下すると、制御部１１はこれに応答して、スキャナ１３に対し原稿台に載置された原稿の画像を読み取らせ、そのデータを画像メモリ１４に格納する。操作部１２で設定された値は設定情報メモリ１５に格納され、画像処理部１６はこの設定値に基づいて画像メモリ１４の内容に対し処理を行う。設定情報メモリ１５にはさらに、後述の試し複写完了判定及び試し複写後の複写部数自動設定に用いられる複写部数設定値Ｎ、前回複写部数Ｎｂ、前々回複写部数Ｎｂｂ及び原稿取換状態フラグＦｓが格納される。制御部１１は、設定情報メモリ１５に格納された値に基づいて画像メモリ１４の内容の画像を画像形成部１８に対し所定部数形成させる。
【００１３】
制御部１１は、設定時間以上操作部１２が操作されないと、設定情報メモリ１５に格納された複写部数設定値Ｎ、前回複写部数Ｎｂ及び前々回複写部数Ｎｂｂをゼロクリアする。このゼロクリアは、電源オン時の初期化処理においても行われる。
【００１４】
図２は、制御部１１の処理手順を示す概略フローチャートである。図２（Ａ）及び図２（Ｂ）の処理は、割込処理である。以下、括弧内は図中のステップ識別符号を示す。
【００１５】
原稿カバーＣが開けられたことを原稿カバースイッチ１７が検知すると、制御部１１に割り込みがかけられて、図２（Ａ）の処理が開始される。
【００１６】
（Ｓ０）原稿取換状態フラグＦｓが‘１’（原稿取換無しの状態）であればステップＳ１へ進み、そうでなければステップＳ３へ進む。
【００１７】
（Ｓ１）前々回複写部数Ｎｂｂが１であればステップＳ２へ進み、そうでなければステップＳ３へ進む。
【００１８】
（Ｓ２）前回複写部数Ｎｂの値を１だけインクリメントした値が複写部数設定値Ｎに代入される。
【００１９】
（Ｓ３）原稿取換状態フラグＦｓがリセットされる。
【００２０】
スタートキー１２１の押下により制御部１１に割り込みがかけられて、図２（Ｂ）の処理が開始される。
【００２１】
（Ｓ１０）原稿画像がＮ部複写される。但し、Ｎ＝０の場合にはＮ＝１とされる。
【００２２】
（Ｓ１１）前回複写部数Ｎｂの値が前々回複写部数Ｎｂｂに代入され、複写部数設定値Ｎの値（０のときは１に変更）が前回複写部数Ｎｂに代入され、原稿取換状態フラグＦｓがセットされる。
【００２３】
次に、上記のような処理により試し複写モードへ自動移行することを図３に基づいて具体的に説明する。図３は、原稿を１部試し複写して視認した後、その原稿を９部複写し、次に原稿を取り替えると、複写部数設定値Ｎが自動的に１０となって、１０部複写する場合を示す。
【００２４】
（Ｔ０）原稿カバーＣを開けて１頁目の原稿をセットする。これにより、ステップＳ０からステップＳ３へ進んで原稿取換状態フラグＦｓがリセットされる（原稿取換有りの状態にされる）。
【００２５】
（Ｔ１）スタートキー１２１を押下すると、ステップＳ１０でこの原稿画像が１部複写され、ステップＳ１０でＮｂｂ＝０、Ｎｂ＝１となる。ユーザにより複写結果が視認され、これが良好であると判断されたとする。
【００２６】
（Ｔ２）操作部１２を操作してＮ＝９とする。
【００２７】
（Ｔ３）スタートキー１２１を押下すると、ステップＳ１１でこの原稿画像が９部複写され、ステップＳ１０でＮｂｂ＝１、Ｎｂ＝９となる。
【００２８】
（Ｔ４）原稿カバーＣを開けて原稿を２頁目と取り換える。これにより、ステップＳ０からステップＳ１を通ってステップＳ２へ進み、Ｎ＝１０が自動設定され、次にステップＳ３で原稿取換状態フラグＦｓがリセットされる。
【００２９】
（Ｔ５）スタートキー１２１を押下すると、ステップＳ１１でこの原稿画像が１０部複写され、ステップＳ１０でＮｂｂ＝９、Ｎｂ＝１０となる。
【００３０】
本実施例１によれば、原稿カバースイッチ１７の検知に応答して、原稿取換状態フラグＦｓ＝‘１’かつ前々回複写部数Ｎｂｂ＝１であるという条件を満たす場合には、複写部数設定値Ｎに、前回複写部数Ｎｂを１だけインクリメントした値を設定し、この条件を満たすか否かに拘わらず、Ｆｓをリセットし、スタートキー１２１の押下に応答して、Ｆｓをセットするとともに、Ｎｂｂ＝Ｎｂ及びＮｂ＝Ｎとするので、原稿を１部複写し、次いで原稿を取り換えずに前回複写部数Ｎｂ部複写し、次に原稿を取り換えると、試し複写が実行されたと推定されて前回複写部数Ｎｂに１を加算した値が複写部数設定値Ｎに自動設定され、これにより、試し複写モードを設定することなく、又は試し複写モードの設定をし忘れても、試し複写が行われたことが自動判定されて、その後の複写部数が自動設定されという効果を奏し、複写装置の操作性向上に寄与するところが大きい。
【００３１】
なお、本発明には外にも種々の変形例が含まれる。
【００３２】
例えば、本発明は上記実施例に限定されず、前々回の複写部数が１であり、前々回複写スタート指令が入力されてから前回複写スタート指令が入力されるまでの間に原稿取換検知手段が原稿取換動作を検知しなかった場合に、前回の複写部数に１を加算した値を複写部数設定値とする構成であればよい。
【００３３】
また、上記各実施例では原稿カバースイッチ１７及びスタートキー１２１の出力信号で制御部１１に対し割り込みが掛けられる場合を説明したが、本発明はこれに限定されず、周期的に原稿カバースイッチ１７及びスタートキー１２１の出力信号をスキャンしその信号に応じて処理を行う構成であってもよいことは勿論である。
【００３４】
さらに、本発明の複写装置は、複合機やプリンタに組み込まれた複写機能を有する複写装置であってもよい。
【図面の簡単な説明】
【００３５】
【図１】本発明の実施例１に係る複写装置の概略構成を示すブロック図である。
【図２】図１中の制御部の処理手順を示す概略フローチャートであり、（Ａ）は原稿カバースイッチが原稿カバー開を検知することにより開始される割込処理を示し、（Ｂ）はスタートキーの押下により開始される割込処理を示す。
【図３】図２の処理が繰り返されたときに、複写部数設定値の履歴と原稿カバースイッチの検知に基づいて自動的に複写部数が設定される場合を示すシーケンス図である。
【符号の説明】
【００３６】
１０  複写装置
１１  制御部
１２  操作部
１２１  スタートキー
１３  スキャナ
１４  画像メモリ
１５  設定情報メモリ
１６  画像処理部
１７  原稿カバースイッチ
１８  画像形成部
Ｆｓ  原稿取換状態フラグ
Ｎ  複写部数設定値
Ｎｂ  前回複写部数
Ｎｂｂ  前々回複写部数
【図１】
2007150383.tif 000003
【図２】
2007150383.tif 000004
【図３】
2007150383.tif 000005